(57)【要約】【課題】搬送ライン中に設けた浸漬処理装置の小型化を図る。【解決手段】搬入側コンベア１と、搬出側コンベア２と、これらの間に設けられた可動コンベア１２と、可動コンベア１２の下方に設けられ、内部に処理液が貯留された浸漬槽７と、可動コンベア１２を鉛直方向で昇降駆動するシリンダ５とを備えたワーク浸漬処理装置を提供する。【選択図】図１
2015010234.tif 000002
【特許請求の範囲】
【請求項１】
搬入側搬送ラインと、搬出側搬送ラインと、これらの間に設けられた可動搬送ラインと、前記可動搬送ラインの下方に設けられ、内部に処理液が貯留された浸漬槽と、前記可動搬送ラインを鉛直方向で昇降駆動する昇降手段とを備えた浸漬処理装置。
【請求項２】
前記浸漬槽の上方に、ワークに対してエアを吹き付ける噴射手段を設けた請求項１記載の浸漬処理装置。
【請求項３】
前記可動搬送ラインを水平面内で回転駆動する回転手段を有する請求項１又は２記載の浸漬処理装置。
【請求項４】
前記可動搬送ラインを含み、前記回転手段で回転駆動される回転体と、前記昇降手段により昇降駆動される昇降部材と、前記昇降部材に設けられ、前記回転体を回転可能に支持する支持部とを有し、
前記回転体に、外径に向けて突出したフランジを設け、該フランジの外周部分を前記支持部で支持する請求項３記載の浸漬処理装置。
【発明の詳細な説明】
【技術分野】
【０００１】
本発明は、ワークを処理液に浸漬する浸漬処理装置に関する。
【背景技術】
【０００２】
歯車などの金属部品は、熱処理が施された後に、酸化防止を目的とした防錆処理が施される。このような防錆処理は、複数の金属部品を防錆液中に浸漬することにより行われる。
【０００３】
例えば特許文献１に示されている表面処理装置では、複数の金属部品がセットされたバケットを搬送レールに沿って搬送しながら、ワークを液体ナトリウム中に浸漬する浸漬処理工程、ワーク表面のナトリウムを冷却してワークに付着させるナトリウム固化工程、ワークを水中に浸漬する水中浸漬工程、ワークを水洗する水洗工程、及び、ワークを乾燥させる乾燥工程等を行っている。
【先行技術文献】
【特許文献】
【０００４】
【特許文献１】特開２００３−１２９２５５号公報
【発明の概要】
【発明が解決しようとする課題】
【０００５】
しかし、上記のように、バケットを搬送レールに沿って搬送しながら処理液中に浸漬するためには、搬送レールに傾斜部を設け、この傾斜部に沿って搬送しながらバケットを昇降させる必要がある。このように搬送レールに傾斜部を設けることで、浸漬処理工程を行うために必要となる搬送レールの長さが長くなるため、装置の大型化を招く。
【０００６】
例えば、ワークを搬送レールから一旦取り外して、別個に設けた浸漬槽に浸漬するようにすれば、装置の大型化は回避できる。しかし、この場合、浸漬槽を設けるためのスペースが必要となる上、搬送レールと浸漬槽との間でワークを移動させる手間が生じる。従って、浸漬処理装置は、上記特許文献１のようにワークを搬送する搬送ライン中に設けることが好ましい。
【０００７】
以上のような問題は、防錆装置に限らず、ワークを搬送しながら処理液中に浸漬する浸漬処理装置全般において同様に生じる。
【０００８】
本発明が解決すべき技術的課題は、搬送ライン中に設けた浸漬処理装置の小型化を図ることにある。
【課題を解決するための手段】
【０００９】
前記課題を解決するために、本発明は、搬入側搬送ラインと、搬出側搬送ラインと、これらの間に設けられた可動搬送ラインと、前記可動搬送ラインの下方に設けられ、内部に処理液が貯留された浸漬槽と、前記可動搬送ラインを鉛直方向で昇降駆動する昇降手段とを備えたワーク浸漬処理装置を提供する。
【００１０】
このように、本発明の浸漬処理装置は、搬送ライン（コンベアやレール等）の一部を可動とし、この可動部分（可動搬送ライン）を鉛直方向で昇降可能とした。この場合、ワークが搭載された可動搬送ラインを、昇降手段で鉛直下方に降下させることにより、ワークを処理液中に浸漬することができる。従って、搬送ラインに、ワークを昇降させるための傾斜部を設ける必要がなく、浸漬処理工程の搬送方向長さを短くすることができる。
【００１１】
ところで、上記特許文献１のように搬送レールに沿ってバケットを搬送しながら各工程を行う場合、ワークを処理液中に浸漬する浸漬処理工程と、ワークに付着した無駄な処理液を除去する処理液除去工程（特許文献１では水洗工程）とが搬送方向で直列に配置されるため、これらの工程を施すための搬送方向スペースが大きくなる。この点に鑑み、上記の浸漬処理装置において、浸漬槽の上方に、ワークに対してエアを吹き付けるエア噴射手段を設けることが好ましい。この場合、可動搬送ラインに載せたワークを降下させて浸漬槽に浸漬した後、可動搬送ラインを上昇させてワークを浸漬槽の上方に配置し、この状態でエア噴射手段からワークにエアを吹き付けることで、ワークに付着した処理液を除去することができる。このように、浸漬処理工程と処理液除去工程とを上下に並べて配置することができるため、搬送方向スペースが縮小され、装置が小型化される。
【００１２】
上記のように、可動搬送ラインを固定側の搬送ライン（搬入側及び搬出側搬送ライン）から分離することで、可動搬送ラインを自由に駆動することが可能となる。例えば、可動搬送ラインを水平面内で回転駆動する回転手段を設けることができる。特に、上記のように浸漬槽の上方にエア噴射手段を設ける場合、回転手段で可動搬送ライン及びワークを回転させながらエアを吹き付ければ、円周方向一箇所のエア噴射手段からワークの全周にエアを吹き付けることができるため、エア噴射手段の設置数を削減できる。
【００１３】
上記のように可動搬送ラインを回転駆動する場合、可動搬送ラインを含む回転体の上部にモータの回転軸を取り付け、モータを駆動して回転体を回転させる構成が考えられる。しかし、可動搬送ラインに複数のワークが搭載される場合は回転体の重量が嵩むため、回転体を回転駆動させたときにモータの回転軸に加わる負荷（特にモーメント荷重）が大きくなり、回転体が振れ回る恐れがある。
【００１４】
そこで、上記の浸漬処理装置は、前記可動搬送ラインを含み、前記回転手段で回転駆動される回転体と、前記昇降手段により昇降駆動される昇降部材と、前記昇降部材に設けられ、前記回転体を回転可能に支持する支持部とを有し、前記回転体に、外径に向けて突出したフランジを設け、該フランジの外周部分を前記支持部で支持する構成とすることが好ましい。このように、回転体に設けたフランジの外周部分を支持することで、支持部で支持する部分の径が大きくなるため、モーメント荷重に対する剛性が高められ、回転体の振れ回りを防止できる。
【００１５】
可動搬送ラインと固定側の搬送ラインとの間でワークを移送する際には、可動搬送ラインを所定の位置に位置決めして、固定側の搬送ラインと可動搬送ラインとを連続させる必要がある。特に、上記のように可動搬送ラインを回転駆動する場合、可動搬送ラインの回転角を精度良く位置決めして、固定側の搬送ラインとの間で搬送方向を一致させる必要がある。例えば、モータ等の回転手段の回転角を制御することにより、可動搬送ラインの回転角を位置決めすることが考えられる。しかし、回転手段と可動搬送ラインとの間には、ギアの噛み合い隙間等のメカロスが生じることは避けられないため、回転手段の制御による可動搬送ラインの回転方向の位置決め精度は限界がある。
【００１６】
そこで、上記の浸漬処理装置は、前記回転体に設けた当接部材と、前記昇降部材に設けた被当接部材とからなるラチェット機構を有し、前記ラチェット機構が、前記回転体の一方への回転を許容する一方で、前記回転体の他方への回転を、前記当接部材と前記被当接部材とを回転方向で当接させることで規制する構成とすることが好ましい。これにより、回転体を他方に回転させ、回転体に設けた当接部材と昇降部材に設けた被当接部とを回転方向で直接当接させることで、昇降部材に対する回転体の回転方向の位置決めを精度良く行うことができる。
【発明の効果】
【００１７】
以上のように、搬送ラインの一部を鉛直方向で昇降させて浸漬処理を行うことで、浸漬処理装置の小型化が図られる。
【図面の簡単な説明】
【００１８】
【図１】本発明の一実施形態に係る浸漬処理装置（防錆装置）の側面図である。
【図２】上記浸漬処理装置の可動コンベアの平面図である。
【図３】上記可動コンベアの側面図である。
【図４】上記浸漬処理装置のゴンドラ支持部の断面図である。
【図５】図４のＶ−Ｖ平面から矢印方向に見た平面図である。
【図６】（Ａ）〜（Ｄ）は、上記浸漬処理装置に設けられたラチェット機構の動きを示す側面図である。
【図７】上記浸漬処理装置による浸漬処理方法を模式的に示す側面図である（ワーク搬入時）。
【図８】上記浸漬処理装置による浸漬処理方法を模式的に示す側面図である（ワークセット）。
【図９】上記浸漬処理装置による浸漬処理方法を模式的に示す側面図である（ワーク水平状態）。
【図１０】上記浸漬処理装置による浸漬処理方法を模式的に示す側面図である（浸漬処理工程）。
【図１１】上記浸漬処理装置による浸漬処理方法を模式的に示す側面図である（処理液除去工程）。
【図１２】上記浸漬処理装置による浸漬処理方法を模式的に示す側面図である（ワーク搬出）。
【発明を実施するための形態】
【００１９】
図１及び図２に、本発明の一実施形態に係る浸漬処理装置としての防錆装置を示す。この防錆装置は、ワークを搬送しながらワークに対して各種加工を施す加工ラインの途中に設けられる。防錆装置は、搬入側搬送ラインとしての搬入側コンベア１と、搬出側搬送ラインとしての搬出側コンベア２と、昇降体３と、固定体４と、昇降手段としてのシリンダ５と、回転手段としてのモータ６と、浸漬槽７とを主に備える。
【００２０】
搬入側コンベア１と搬出側コンベア２は、搬送方向で離間して設けられる。両コンベア１，２の搬送面（ローラの上部をつないだ平面）は、同一平面上に配され、搬送方向先行側（図１の右側）へ向けて若干下方に傾斜している。
【００２１】
固定体４は、略直方体の枠体４１を備える。枠体４１は、搬入側コンベア１及び搬出側コンベア２と同じ高さに設けられた中間フレーム４１ａを有する。枠体４１で囲まれた空間のうち、中間フレーム４１ａよりも下方の空間に、浸漬槽７が配置される。浸漬槽７は、上方を開口し、内部に処理液（本実施形態では防錆液）が貯留される。枠体４１で囲まれた空間のうち、中間フレーム４１ａよりも上方の空間は、その側面及び上面が金属板で覆われる。具体的に、枠体４１の上面には天板４２が設けられる。天板４２には、シリンダ５及びモータ６が固定される。枠体４１の幅方向（図２の上下方向）両側面のうち、中間フレーム４１ａよりも上方の領域は、側板（図示省略）が設けられる。枠体４１の搬送方向（図２の左右方向）両側面のうち、中間フレーム４１ａよりも上方の領域は、搬入側シャッター４３及び搬出側シャッター４４で覆われる。搬入側シャッター４３及び搬出側シャッター４４は、図示しない駆動手段によってそれぞれ独立して開閉される。枠体４１の中間フレーム４１ａには、搬入側コンベア１から後述する可動コンベア１２、及び、可動コンベア１２から搬出側コンベア２へのパレットの乗り移りを補助するための補助ローラ４５が設けられる。
【００２２】
浸漬槽７の上方には、ワークにエアを吹きつける噴射手段６０が設けられる。本実施形態では、枠体４１で囲まれた空間のうち、中間フレーム４１ａよりも上方の空間に噴射手段６０が設けられる。図示例では、ゴンドラ１０の外周の円周方向一箇所に噴射手段６０が設けられる。噴射手段６０は、鉛直方向に延びる配管６１と、配管６１の上下方向に離隔して設けられた複数のノズル６２とを有する。配管６１は、工場エアに接続されている。
【００２３】
昇降体３は、回転体としてのゴンドラ１０と、昇降部材としての昇降板２０と、支持部３０とを有する。ゴンドラ１０は、直方体の枠体１１と、枠体１１の底面に設けられた可動搬送ラインとしての可動コンベア１２とを備える。枠体１１は、上面は天板１１ａで覆われ、側面及び下面は開放されている。可動コンベア１２は、図２に示すように、複数のローラ１２ａと、これらを連結するフレーム１２ｂとを備える。可動コンベア１２の下流端には、ストッパ１２ｃが設けられる。ストッパ１２ｃは、ローラ１２ａの上面（搬送面）から上方に出没可能とされる（図３参照）。可動コンベア１２の搬送方向両側には、パレットの乗り移りを補助するための補助ローラ１６が設けられる。
【００２４】
可動コンベア１２のフレーム１２ｂは、枠体１１にピン１２ｄを介して回転可能に取り付けられる。可動コンベア１２は、傾斜手段により、ピン１２ｄを中心に回転駆動される。本実施形態の傾斜手段は、昇降体３の昇降動作を利用して可動コンベア１２を傾斜させるものである。本実施形態の傾斜手段は、図１に示すように、ゴンドラ１０の枠体１１に枢着されたアーム１３で構成される。アーム１３は、略上方に延びる垂直部１３ａと、略水平方向に延びる水平部１３ｂとを一体に有する略Ｌ字形状をなす。垂直部１３ａの上端にはローラ１３ｃが設けられる。ローラ１３ｃは、固定体４の天板４２の下面に固定されたカム４６と当接可能な位置に配される。水平部１３ｂの先端には、ローラ１３ｄが設けられる。アーム１３は、図示しないバネ等の付勢手段で、垂直部１３ａの上端がゴンドラ１０に近づく方向（図１の時計周り方向）に付勢されている。ローラ１３ｃがカム４６に当接していない状態では、図３に点線で示すように、垂直部１３ａが鉛直方向とされ、ローラ１３ｄが可動コンベア１２のフレーム１２ｂから下方に離反した位置に配される。このとき、可動コンベア１２はストッパ（図示省略）で下方から支持され、搬送面が水平となっている。一方、ローラ１３ｃがカム４６に当接し、アーム１３の垂直部１３ａの上端がゴンドラ１０から離反する側に移動すると、水平部１３ｂの先端のローラ１３ｄが上昇し、可動コンベア１２のフレーム１２ｂを持ち上げる。これにより、図３に実線で示すように可動コンベア１２が傾斜し、搬入側コンベア１及び搬出側コンベア２と同じ角度で、且つ、同一平面上に配される。
【００２５】
昇降板２０は、昇降手段としてのシリンダ５のピストンロッドの下端に固定され、鉛直方向に昇降可能とされる。昇降板２０には、支持部３０を介してゴンドラ１０が吊り下げ保持される。具体的には、図４に示すように、ゴンドラ１０の天板１１ａに、ボス１４と、ボス１４から外径向きに突出したフランジ１５とが設けられる。フランジ１５は、ゴンドラ１０の回転中心を中心とした円板状をなしている。フランジ１５の外周部分には、リング状の被支持部１５ａが設けられる。被支持部１５ａは、フランジ１５の外周端から上下に突出して設けられる。フランジ１５の外周面（被支持部１５ａの外周面）には、リングギア１５ｂが設けられる。尚、図４の左半分はフランジ１５の断面図を示し、図４の右半分はフランジ１５の側面図を示している。
【００２６】
昇降板２０の下面には、ゴンドラ１０を回転可能に支持する支持部３０が設けられる。本実施形態では、円周方向等間隔の４箇所に支持部３０が配される（図５参照）。支持部３０は、昇降板２０から下方に突出したフレーム３１と、フレーム３１に設けられた上ローラ３２及び下ローラ３３とを有する（図４参照）。上下ローラ３２，３３は、それぞれゴンドラ１０の回転半径方向の回転軸を有し、フランジ１５の被支持部１５ａを上下から挟持する位置に設けられる。このように、フランジ１５の外周部分（被支持部１５ａ）の円周方向複数個所を上下ローラ３２，３３で支持することで、ゴンドラ１０の回転軸を傾斜させるようなモーメントに対する剛性を高めることができる。
【００２７】
また、昇降板２０の下面には、フレームを介して、鉛直方向の回転軸を有する水平ローラ３４が設けられる。図示例では、円周方向等間隔の３箇所に、水平ローラ３４が設けられる。水平ローラ３４は、フランジ１５から上方に突出した被支持部１５ａの内周面に当接する。これにより、フランジ１５が水平方向で位置決めされる。
【００２８】
昇降板２０には、鉛直方向の昇降を案内するガイド２１が設けられる（図１参照）。ガイド２１は、昇降板２０の上面から鉛直上方に伸びる棒状を成し、固定体４の天板４２に固定されたガイド受け４５によって摺動支持される。ガイド２１は、複数箇所に設けられ、例えば円周方向等間隔の４箇所に設けられる。４本のガイド２１のうちの１本は、回転可能な回転ガイド２１ａとされる。回転ガイド２１ａは、昇降板２０を貫通し、フランジ１５と同じ高さまで延びている。回転ガイド２１ａの下端にはギア２１ｂが設けられる（図４参照）。ギア２１ｂは、フランジ１５の外周のリングギア１５ｂと噛み合っている。回転ガイド２１ａにはプーリ２１ｃが設けられ、このプーリ２１ｃと、モータ６の回転軸に設けられたプーリ６ａとの間にベルト６ｂが掛け回される。モータ６を回転駆動することにより、プーリ６ａ、ベルト６ｂ、プーリ２１ｃ、回転ガイド２１ａ、ギア２１ｂ、及びリングギア１５ｂを介して、ゴンドラ１０が回転駆動される。
【００２９】
防錆装置には、ラチェット機構５０が設けられる。ラチェット機構は、図５及び図６に示すように、ゴンドラ１０の天板１１ａに設けられた当接部材５１と、昇降板２０の下面に設けられた被当接部材とで構成される。本実施形態では、被当接部材が、支持部３０のフレーム３１で構成される。当接部材５１は、天板１１ａに固定された固定片５２と、一端が固定片５２に回転可能に取り付けられ、他端が昇降可能な可動片５３と、可動片５３を上向きに付勢する付勢手段としてのバネ５４とを有する。可動片５３は、一端（固定端）が正回転方向（図５の矢印方向）先行側、他端（自由端）が正回転方向後方側となるように配される。これにより、ラチェット機構５０は、ゴンドラ１０の正方向の回転は許容するが、逆方向の回転は規制する。ラチェット機構５０の詳細な動作は後述する。
【００３０】
以下、上記の防錆装置を用いた防錆処理方法の手順を、図７〜図１２を用いて説明する。
【００３１】
まず、ゴンドラ１０を、図７に示す初期位置に配置する。この初期位置では、可動コンベア１２が、搬入側コンベア１及び搬出側コンベア２と同じ高さに配される。また、傾斜手段（アーム１３）の上端のローラ１３ｃがカム４６に当接することで、アーム１３が図中反時計回りに回転する方向に付勢され、水平部１３ｂのローラ１３ｄにより、可動コンベア１２が所定の角度（搬入側及び搬出側コンベア１，２と同角度）で傾斜した状態で保持される（図１及び図３参照）。そして、可動コンベア１２のストッパ１２ｃ（図７では図示省略）を上方に突出させ、搬入側シャッター４３を開く。この状態で、複数のワークＷ（例えば歯車）を搭載したパレットＰが、自重により搬入側コンベア１から可動コンベア１２へ移載され、パレットＰがストッパ１２ｃで係止される（図８参照）。その後、搬入側シャッター４３を閉じる。これにより、固定体４の中間フレーム４１ａよりも上方の空間が、シャッター４３，４４、天板４２、及び側板で覆われるため、作業者が誤って駆動中のゴンドラ１０等に触れることや、後述する処理液除去工程において処理液が周囲に飛散することを防止できる。
【００３２】
そして、シリンダ５を駆動してゴンドラ１０を降下させる。ゴンドラ１０が僅かに降下すると、アーム１３上端のローラ１３ｃとカム４６との係合が解除され、可動コンベア１２が水平な状態となる（図９参照）。その後、さらにゴンドラ１０を降下させ、ワークＷを、ゴンドラ１０と共に浸漬槽７の処理液（防錆液）中に浸漬する（浸漬処理工程、図１０参照）。このように、可動コンベア１２を有するゴンドラ１０を鉛直方向に降下させることで、浸漬処理工程に要する搬送方向スペースを小さくすることができ、装置の小型化が図られる。
【００３３】
ワークＷを所定時間処理液中に浸漬したら、シリンダ５を駆動してゴンドラ１０を上昇させる。そして、浸漬槽７よりも上方で、且つ、可動コンベア１２が水平である高さ（傾斜手段のローラ１３ｃとカム４６とが当接しない高さ）でゴンドラ１０の上昇を停止する（図１１参照）。この状態で、モータ６を駆動してゴンドラ１０を回転駆動すると共に、噴射手段６０のノズル６２からエアを吹き付ける。
【００３４】
このとき、ゴンドラ１０は、複数のワークＷを搭載して重量が嵩んでいるため、ゴンドラ１０を回転させたときに回転が不安定となる恐れがある。本実施形態では、上記のように、ゴンドラ１０に設けたフランジ１５の外周部分（被支持部）を、円周方向複数箇所で支持しているため、ゴンドラ１０の剛性、特に回転軸を傾けるようなモーメント荷重に対する剛性が高められ、ゴンドラ１０の回転を安定する。
【００３５】
また、ゴンドラ１０の上昇を停止した後、すぐにエアの吹き付けを開始するのではなく、所定時間（例えば５〜１０秒程度）経過した後に、エアの吹き付けを開始することが好ましい。こうして、浸漬槽７から取り出したワークＷを所定時間放置することで、ワークＷの表面に付着した主な処理液が自重により落下する。このとき、ゴンドラ１０を回転させれば、遠心力が加わるため、処理液がさらに落下しやすくなる。所定時間経過後、ゴンドラ１０を回転させながらエアを吹き付けることにより、ワークＷの細部（例えばギアの歯の間）に入り込んだ処理液等を吹き飛ばすことができる。こうしてワークＷから除去された処理液は、下方に設けられた浸漬槽７に戻り、再利用される。
【００３６】
このように、本実施形態の脱脂装置では、ワークＷを処理液中に浸漬する浸漬処理工程と、ワークＷに付着した余分な処理液を除去する処理液除去工程とを、同一装置内で上下に並べて配することができる。従って、これらの工程を、搬送方向に並べて配置する場合と比べて、省スペース化が図られる。また、浸漬槽７の真上で処理液除去工程を行うことで、ワークＷから除去された余分な処理液を、別途の回収経路を設けることなく浸漬槽７に戻すことができる。
【００３７】
ゴンドラ１０を回転させている間、ラチェット機構５０の当接部材５１は、被当接部材（フレーム３１）の下方を通過する。具体的には、図６（Ａ）に示すように、可動片５３に下向きの負荷が加わっていないときは、可動片５３がバネ５４で持ち上げられ、可動片５３の自由端（図中左端）がフレーム３１の下端よりも上方に位置している。ゴンドラ１０が正方向｛図６（Ａ）の矢印方向｝に回転すると、図６（Ｂ）に示すように、可動片５３が、バネ５４を弾性変形させながら自由端を降下させ、フレーム３１の下に潜り込む。その後、可動片５３がフレーム３１を通り過ぎたら、バネ５４が弾性復元し、可動片５３の自由端が元の位置（フレーム３１の下端よりも上方位置）に戻る｛図６（Ｃ）参照｝。以上を繰り返しながら、ゴンドラ１０が回転する。
【００３８】
そして、ゴンドラ１０が所定の回転数だけ回転したら、図６（Ｄ）に矢印で示すようにゴンドラ１０を逆方向に回転させ、当接部材５１の可動片５３の自由端を被当接部材（フレーム３１）に回転方向で当接させる。これにより、ゴンドラ１０の逆方向の回転が規制され、ゴンドラ１０が、昇降板２０、ひいては固定体４に対して円周方向で位置決めされる。このように、回転側（ゴンドラ１０）に設けた当接部材５１と非回転側（固定体４及び昇降板２０）に設けた被当接部材（フレーム３１）とを直接当接させることで、ゴンドラ１０の円周方向の位置決めを精度良く行うことができる。
【００３９】
その後、ゴンドラ１０をさらに上昇させて、初期位置に配する（図１２の点線参照）。これにより、可動コンベア１２が傾斜手段（アーム１３）で傾斜され、可動コンベア１２の搬送方向と搬出側コンベア２の搬送方向とが一致する。その後、搬出側シャッター４４を開き、ストッパ１２ｃを降下させることで、ワークＷ及びパレットＰが自重によりコンベア上を滑り、可動コンベア１２から搬出側コンベア２へと搬出される（図１２の矢印参照）。
【００４０】
本発明は上記の実施形態に限られない。例えば、上記の実施形態では、防錆装置に本発明を適用した場合を示したが、ワークを処理液に浸漬する装置であればよく、例えばワークを水に浸漬する水洗装置や、ワークを塗料に浸漬する塗装装置にも適用可能である。
【符号の説明】
【００４１】
１     搬入側コンベア（搬入側搬送ライン）
２     搬出側コンベア（搬出側搬送ライン）
３     昇降体
４     固定体
５     シリンダ（昇降手段）
６     モータ（回転手段）
７     浸漬槽
１０   ゴンドラ（回転体）
１２   可動コンベア（可動搬送ライン）
１３   傾斜手段
１５   フランジ
２０   昇降板（昇降部材）
３０   支持部
３１   フレーム（被当接部材）
５０   ラチェット機構
５１   当接部材
６０   噴射手段
Ｐ     パレット
Ｗ     ワーク
【図１】
2015010234.tif 000003
【図２】
2015010234.tif 000004
【図３】
2015010234.tif 000005
【図４】
2015010234.tif 000006
【図５】
2015010234.tif 000007
【図６】
2015010234.tif 000008
【図７】
2015010234.tif 000009
【図８】
2015010234.tif 000010
【図９】
2015010234.tif 000011
【図１０】
2015010234.tif 000012
【図１１】
2015010234.tif 000013
【図１２】
2015010234.tif 000014